(57)【特許請求の範囲】
【請求項１】
建造物の構築壁面を横方向および縦方向に分割して建造物における壁面を構築するための壁面構築パネルユニットＵが、外周囲を外周枠体２により形成される金属製型鋼材でなる枠組立体１を含むものからなり、前記枠組立体１を介して前記壁面構築パネルユニットＵを建造物躯体２２に取り付けるように構成したものにおいて、
建造物躯体２２に直接取り付けられる水平プレート部２３ａと、構築壁面に平行にのびる上方起立プレート部２３ｂとを有する通しアングル部材２３と、
前記通しアングル部材２３に固定連結される上方起立プレート部２４ａと、前記壁面構築パネルユニットＵの枠組立体１における外周枠体２の上縁枠２Ａ下面を支受するべく概して水平にのびる水平プレート部２４ｂとを有し、前記壁面構築パネルユニットＵの上部側を位置決めする上部側位置決め手段２７を備えた自重受け部材２４と、
前記壁面構築パネルユニットＵの下部側を位置決めする下部側位置決め手段３４を備え、前記壁面構築パネルユニットＵとの間に前記通しアングル部材２３を抱き込む押さえプレート２５ｂを備えたロッキング部材２５とを含み、
前記通しアングル部材２３に固着される上方起立プレート部２６ａと、前記壁面構築パネルユニットＵの枠組立体１における外周枠体２の上縁枠２Ａの下面側に間隔をおいて平行にのびる水平プレート部２６ｂとを備え、前記外周枠体２の上縁枠２Ａと前記水平プレート部２６ｂとの間の間隔を調整して、前記壁面構築パネルユニットＵの高さを調整するための高さ調整手段２６を設けてなることを特徴とする壁面構築用パネルユニットのロッキング機構。
【発明の詳細な説明】
【０００１】
【発明の属する技術分野】
この発明は、建造物の構築壁面を横方向および縦方向に分割して建造物における壁面を構築するための壁面構築パネルユニットの取り付け施工に関するものであり、特に、建造物の躯体生地に対して、壁面構築パネルユニットを上部側および下部側において、面内方向の追従性を許容し得るように取り付けるようになした壁面構築用パネルユニットのロッキング機構に関するものである。
【０００２】
【従来の技術】
周知のように、建造物の構築に関して、建造物の各部分を工場等において予め前もって製造準備しておき、これらの建造物の各部分を施工現場に持ち込んで、予め設計された建造物を構築施工する組立式建築、所謂プレファブ (prefabrication) タイプの建築方式はよく知られているものであって、その需要は目を見張るものがあり、技術的にも多くの改良開発がなされ、提供されてきている。
【０００３】
一方、各種建築物における内外装壁面構築用の壁面パネル材として、軽量気泡コンクリートパネル（建築用壁面パネル）、中空押し出し成形セメントパネル等の壁面パネル材の適用が隆盛をきわめている。前者の軽量気泡コンクリートパネルは、気泡コンクリート成形体をオートクレーブ養成処理することによって造られるものであり、後者の中空押し出し成形セメントパネルは、セメントの押し出し成形によって造られるものであって、それぞれ、軽量性、加工容易性並びに適度の強度性等の点において優れた特性を有しており、それらの特性の範囲において壁面材として有効に利用されている。
【０００４】
上記するこれらの内外装壁面構築用の壁面パネル材を建造物壁面材として適用する場合、同一出願人によって従前より開発され提供されてきているように、当該壁面パネル材の裏面側に金属製型鋼材により形成される枠組立体を組み合わせた構成のものとして適用されている。
【０００５】
このように、内外装壁面構築用の壁面パネル材の裏面に金属製枠組立体を連結してなる壁面構築パネルユニットによって建造物壁面を施工する場合、従来は、建造物の建造域の内側から、当該壁面構築パネルユニットを下層から順次上層に向けて突き合わせ状に施工するものであって、その際、それぞれの壁面構築パネルユニットの下縁枠を建造物基礎あるいは建造物躯体に対して連結しながら固定していた。
【０００６】
しかしながら、上記する従来のもののように、当該壁面構築パネルユニットを、その下縁枠側において建造物基礎あるいは建造物躯体に対して固定するような構成のものにあっては、各壁面構築パネルユニットのレベル合わせ、各壁面構築パネルユニットの面合わせ等、その施工時における微妙な調節に多大な労力を要していた。
【０００７】
【発明が解決しようとする課題】
そこで、この発明は、建造物の壁面の構築施工にあたって、上記するプレファブ化を適用した壁面構築パネルユニットの提供に関連して、当該壁面構築パネルユニットを建造物躯体に取り付ける際、建造物の躯体生地に対して、壁面構築パネルユニットを上部側および下部側の各２点において、面内方向の追従性を許容し得るように取り付けるようになし、さらには、各壁面構築パネルユニットのレベル合わせ、各壁面構築パネルユニットの面合わせ等、その施工時における微妙な調節施工の省力化、作業性の向上を意図するものであって、もって工期の短縮化を図り得るように構成した壁面構築パネルユニットのロッキング機構を提供しようとするものである。
【０００８】
【課題を解決するための手段】
この発明は、上記の目的を達成するものであり、具体的には、建造物の構築壁面を横方向および縦方向に分割して建造物における壁面を構築するための壁面構築パネルユニットが、外周囲を外周枠体により形成される金属製型鋼材でなる枠組立体を含むものからなり、前記枠組立体を介して前記壁面構築パネルユニットを建造物躯体に取り付けるように構成したものにおいて、
前記建造物躯体に直接取り付けられる水平プレート部と、構築壁面に平行にのびる上方起立プレート部とを有する通しアングル部材と、
前記通しアングル部材に固定連結される上方起立プレート部と、前記壁面構築パネルユニットの枠組立体における外周枠体の上縁枠下面を支受するべく概して水平にのびる水平プレート部とを有し、前記壁面構築パネルユニットの上部側を位置決めする上部側位置決め手段を備えた自重受け部材と、
前記壁面構築パネルユニットの下部側を位置決めする下部側位置決め手段を備え、前記壁面構築パネルユニットとの間に前記通しアングル部材を抱き込む押さえプレートを備えたロッキング部材とを含み、
前記通しアングル部材に固着される上方起立プレート部と、前記壁面構築パネルユニットの枠組立体における外周枠体の上縁枠の下面側に間隔をおいて平行にのびる水平プレート部とを備え、前記外周枠体の上縁枠と前記水平プレート部との間の間隔を調整して、前記壁面構築パネルユニットの高さを調整するための高さ調整手段を設けてなることを特徴とする壁面構築用パネルユニットのロッキング機構を構成するものである。
【００１０】
【実施例の説明】
以下、この発明になる壁面構築パネルユニットのロッキング機構について、図面に示す具体的な実施例にもとづいて詳細に説明する。
図１は、この発明の適用例において、壁面構築パネルユニットＵによって建造物の壁面を構築する例を示すもので、図１Ａは、施工配列状態の例を示す裏面側から見た概略的な斜視図であり、図１Ｂは、壁面構築パネルユニットを建造物躯体にロッキングするロッキング機構の態様例を示す概略的な正面図である。
【００１１】
図２は、壁面構築パネルユニットの具体例を示すものであって、図２Ａは、金属製枠組立体の一方の面に建築用壁面パネルを取り付け、この建築用壁面パネルの外周囲端面に成形二重ガスケットを取り付けた構成例を示す概略な斜視図であり、図２Ｂは、図２Ａに示す成形二重ガスケットと別の単チューブガスケットとを組み合わせて三重ガスケット構造のもとに、壁面構築パネルユニットを互いの端縁に沿って突き合わせた状態を拡大して示す概略的な断面図である。
【００１２】
図３は、前記壁面構築パネルユニットを建造物躯体にロッキングするロッキング機構の態様例を示すものであって、図３Ａは、壁面構築パネルユニットの上下突き合わせの状態部分を建造物の内側からみた概略的な一部破断斜視図であり、図３Ｂは、当該ロッキング機構の主要部全体を一部破断して示す概略的な断面図である。
【００１３】
図４は、ロッキング機構の態様例を示すものであって、図４Ａは、下段の壁面構築パネルユニットの上側部分と上段の壁面構築パネルユニットの下側部分とを若干引き離した状態で示す概略的な正面図であり、図４Ｂは、右半部が上段の壁面構築パネルユニットの下側部分を上から見た状態を示し、左半部が下段の壁面構築パネルユニットの上側部分を上から見た状態を示す概略的な一部破断縦断面図である。
【００１４】
図５は、ロッキング機構の詳細図であって、図５Ａは、壁面構築パネルユニットの下側部分をロッキングするロッキング部材の具体例を示す概略的な側断面図であり、図５Ｂは、壁面構築パネルユニットの上側部分を位置決め支受する自重受け部材の具体例を示す概略的な側断面図であり、図５Ｃは、壁面構築パネルユニットの上側部分に適用される高さ調整手段の具体例を示す概略的な側断面図である。
【００１５】
この発明の適用例になる壁面構築パネルユニットＵは、基本的には、金属製型鋼材の組み合わせでなる枠組立体１によって構成される。前記枠組立体１は、縦方向の寸法Ｌ、幅方向の寸法Ｗおよび厚さ寸法ｔでなる長方矩形状の外周枠体２と、前記外周枠体２の枠内であって、厚さ寸法ｔ内に設けられた縦方向にのびる複数の縦補強梁３、横方向にのびる複数の横補強梁４、剛域機構５との組み合わせでなっている。
【００１６】
前記枠組立体１における少なくとも前記外周枠体２は、好ましくはリップ溝型鋼６によって構成されるものである。このリップ溝型鋼６は、比較的幅広い一対の側壁６ａ、６ｂ、及び比較的幅狭い一対の側壁６ｃ、６ｄの横断面矩形体にあって、そのうちの一側壁６ａに長さ方向に沿ってのびるチャンネル開口７を備えたチャンネル型材である。前記枠組立体１における外周枠体２は、図に示す例において前記リップ溝型鋼６における一側壁６ａが外向きになるよう、すなわち、前記チャンネル開口７が枠体の外側に向くように組み立てられていて、図１に示すように、形成すべき壁面構築パネルユニットＵの規模に応じて、例えば同様のリップ溝型鋼製の縦補強梁３、横補強梁４並びに仮想線で示すような態様の剛域機構５を含むものとして構成されている。
【００１７】
この発明において、前記壁面構築パネルユニットＵにおける枠組立体１において、前記外周枠体２のコーナー部分は、より好ましい例において、リップ溝型鋼６の長さ方向の端面を４５°に切断し、４５°端面を突き合わせ状に溶接連結したものからなっている。一例において前記枠組立体１は、縦方向にのびる縦補強梁３が優先的な骨組構造となっていて、縦方向に途切れのない一体の型鋼材によって構成されている。
【００１８】
この発明において、前記枠組立体１における縦方向の寸法Ｌおよび幅方向の寸法Ｗは、例えば建造物の規模に応じて適宜に設計されるものである。また、前記枠組立体１の厚さ寸法ｔは、実質的には、リップ溝型鋼６の横断面形状における長幅外寸法に等しいものであって、これは一例において約１００ｍｍ程度のものである。
【００１９】
前記枠組立体１において、前記縦補強梁３および横補強梁４は、前記外周枠体２と同様のリップ溝型鋼６によるものであってもよいし、あるいは、横断面矩形の型鋼材によるものであってもよい。前記縦補強梁３および横補強梁４の組み形態は、閉鎖壁面部分を構成するための閉鎖壁面用壁面枠体ユニット、出入口等のサッシ体を組み合わせてなる壁面部分を構成するための出入口サッシ体組み合わせ用壁面枠体ユニット、窓等のサッシ体を組み合わせてなる壁面部分を構成するための窓サッシ体組み合わせ用壁面枠体ユニットなどのものとして、適宜組み合わせによって構成されるものである。
【００２０】
一方、前記枠組立体１における前記剛域機構５は、その構造上、この発明において極めて重要な要素である。すなわち、この発明では、前記剛域機構５が、壁面構築パネルユニットＵにおける枠組立体１の枠内であって、前記枠組立体１の厚さ寸法ｔ内に収まるように組み合わせ構成されているのである。この発明において、前記剛域機構５では、圧縮力による剛域の構築をなすものである。
【００２１】
前記剛域機構５は、前記外周枠体２と同様のリップ溝型鋼６によるものであってもよい。この場合、枠組立体１の厚さ寸法ｔと剛域機構５の厚さ寸法とは等しくなる。また、前記剛域機構５は、横断面矩形の型鋼材によるものであってもよい。この場合前記剛域機構５の厚さ寸法は、枠組立体１の厚さ寸法ｔに等しいものであってもよいし、あるいは、枠組立体１の厚さ寸法ｔより僅かに小さなものであってもよい。
【００２２】
この発明において、前記枠組立体１における前記剛域機構５は、前記外周枠体２と、前記縦補強梁３と、前記横補強梁４とのいずれかの組み合わせによって区画される矩形域の少なくとも一つの対角線に沿って配設されるものであって、例えば、図１Ａあるいは図２Ａに仮想線で示す上記条件の部位に溶接などの固着手段により固着形成されているものである。
【００２３】
この発明において、前記壁面構築パネルユニットＵの適用になる実際的な一施工例によれば、図１に示すように前記壁面構築パネルユニットＵに対して、建築用壁面パネル体１１が重ね合わせ状に連結固着される。前記建築用壁面パネル体１１は、前記金属製枠組立体１の一方の面１ａに重ね合わせ状に組み合わされていて、ボルト−ナット並びにバインダー等の適宜固定連結手段（図示せず）によって固定連結されている。
【００２４】
一例において、前記建築用壁面パネル体１１は、その表面側に、例えば金属製板、本石、石調シートあるいはこれに類する板体でなる一枚のパネル材、さらにはタイル片、陶磁器片、天然石片、金属片、ガラス片、その他これらに類する材料片でなるプレート片の集合体等の表装手段１２を全面的に貼り合わせた化粧壁パネルに構成したものであってもよい。
【００２５】
前記建築用壁面パネル体１１は、例えば、気泡コンクリート成形体をオートクレーブ養成処理によって造られるものであって、軽量性、加工容易性並びに適度の強度性等の点において優れた特性を有する軽量気泡コンクリートパネル、あるいはセメントの押し出し成形によって供される押し出し成形セメントパネル、プレキャストコンクリート成形パネル、石綿セメント硅酸カルシウム成形パネル、石綿セメント成形パネル等の耐火性、あるいは防火性を有するものからなり、例えば、予め設計される建造物における一連なりの壁面を複数に分割した状態のものとして構成される。
【００２６】
また、前記建築用壁面パネル体１１の表面側に表装手段１２を貼り合わせるための接合層手段１３は、短繊維を混入してなる防水性を有する補強モルタル、あるいは、樹脂モルタル層の中間に５ｍｍ程度の格子状のガラス繊維ネットを配した構造のもの等によって構成される。前記接合層手段は、例えば、当該建築用壁面パネル体１１に金属製枠組立体１を取り付ける際に、建築用壁面パネル体１１に対して設けられる比較的大きな取り付け孔の内部にも入り込むようになっていて、それによって前記表装手段１２を前記壁面パネル体１１の表面側に対して強固に固定することができるようになっている。
【００２７】
前記建築用壁面パネル体１１の表面側に、接合層手段を介して貼り合わされる表装材料は、例えば、プレート片の集合でなり、前記プレート片は、平面長方形状のタイル片等によって構成される。前記プレート片は、タイル片の他に、陶磁器片、天然石片、金属片、ガラス片あるいはその他これに類する材料片からなるものであってもよい。タイル片でなる表装材料は、予め設定されるパターンに従って、所定の目地間隔をおいて配置されており、それによって所望のパネル表面模様を具現するものであり、前記タイル片相互の間に形成される目地部分は、目地剤によって目地処理してある。
【００２８】
さらに、この発明では、前記壁面構築パネルユニットＵにおける金属製枠組立体１の一方の面１ａに取り付けた前記建築用壁面パネル材１１における外周囲端面に成形二重ガスケット１４を取り付けることができる。前記成形二重ガスケット１４は、前記建築用壁面パネル材１１の突き合わせ端面に対して前記建築用壁面パネル材１１相互の端面間目地幅を確保するとともに、前記建築用壁面パネル材１１の板厚方向に異なる二つのラインに沿って壁面の外部側と内部側との間を遮断するべく、例えば、接着により取り付けられる。
【００２９】
さらにまた、この発明では、前記成形二重ガスケット１４の適用に併せて、図２Ｂに示すように、壁面構築パネルユニットＵにおける金属製枠組立体１の突き合わせ面に、前記成形二重ガスケットとは別の単チューブガスケット１５を組み合わせて三重ガスケット構造に構成することができる。
【００３０】
次いで、この発明になる壁面構築パネルユニットＵについてのロッキング機構２１について詳細に説明する。この発明になる壁面構築パネルユニットのロッキング機構２１は、前記金属製枠組立体１における外周枠体２の上縁枠２Ａと建造物躯体２２との間、並びに前記金属製枠組立体１における外周枠体２の下縁枠２Ｂと建造物躯体２２との間をそれぞれ位置決めして連結するものである。
【００３１】
図に示す実施例において、前記壁面構築パネルユニットのロッキング機構２１は、図面に示す具体的な実施例によれば、Ｌ型鋼からなる通しアングル部材２３と、前記金属製枠組立体１における外周枠体２の上縁枠２Ａ側を支配する自重受け部材２４と、前記金属製枠組立体１における外周枠体２の下縁枠２Ｂ側を支配するロッキング部材２５と、高さ調整手段２６とを含むものからなっている。
【００３２】
前記通しアングル部材２３は、Ｈ型鋼でなる前記建造物躯体２２に対して直接取り付けられている水平プレート部２３ａおよび構築壁面に平行にのびる上方起立プレート部２３ｂとを有している。
【００３３】
前記自重受け部材２４は、前記通しアングル部材２３における上方起立プレート部２３ｂに固定連結される上方起立プレート部２４ａと前記建造物躯体２２側から前記壁面構築パネルユニット側に向けて概して水平にのび前記壁面構築パネルユニットＵの枠組立体１における外周枠体２の上縁枠２Ａ下面を支受する水平プレート部２４ｂとを有するものからなっている。
【００３４】
前記自重受け部材２４は、図に示す実施例のものにあっては、前記通しアングル部材２３における上方起立プレート部２３ｂに対して溶接により固定連結されている。この自重受け部材２４を前記通しアングル部材２３における上方起立プレート部２３ｂに固定連結する手段としては、上記溶接による方法にのみ限定されるものではなく、その他の例として、前記自重受け部材２４における上方起立プレート部２４ａの上縁側を延長しておき、逆Ｕ字状の係止部を設け、前記通しアングル部材２３における上方起立プレート部２３ｂに逆Ｕ字状の係止部を係合させて固定連結するように構成したものであってもよい。
【００３５】
前記自重受け部材２４は、前記壁面構築パネルユニットの上部側を位置決めする上部側位置決め手段２７を備えている。前記上部側位置決め手段２７は、ロッキングボルト２８と、補強溶接プレート２９と、位置決めプレート３０とを含むものからなっている。前記ロッキングボルト２８は、ボルトヘッド側２８ａが前記自重受け部材２４の水平プレート部２４ｂに取り付けられていて、ボルト端側２８ｂが上方に向けてのび、その先端部にロックナット３１が螺着可能なものからなっている。
【００３６】
前記補強溶接プレート２９は、外周枠体２における上縁枠２Ａの一側壁６ｂの内面に、例えば、溶接により固着されている。前記外周枠体２における上縁枠２Ａの一側壁６ｂおよび補強溶接プレート２９には、前記ロッキングボルト２８のボルト径よりも大きな径の貫通孔３２が設けてある。
【００３７】
前記位置決めプレート３０は、前記ロッキングボルト２８のボルト径に略等しい径の貫通孔３３を有しており、前記ロッキングボルト２８のボルト端２８ｂ側からロッキングボルト２８に装着され、前記壁面構築パネルユニットＵを前記躯体２２に対して位置決めした後、前記補強溶接プレート２９に対して溶接により固着されるようになっている。前記位置決めプレート３０を前記補強溶接プレート２９に固着した後、前記ロッキングボルト２８のボルト端２８ｂ側にロックナット３１を固着する。
【００３８】
一方、前記金属製枠組立体１における外周枠体２の下縁枠２Ｂ側を支配するロッキング部材２５は、前記壁面構築パネルユニットＵの枠組立体１における外周枠体２の下縁枠２Ｂ上面に当接する水平プレート部２５ａと、前記通しアングル部材２３における上方起立プレート部２３ｂを抱き込むように下向きにのびる押さえプレート部２５ｂとを有するものからなっている。
【００３９】
この発明は、ロッキング部材２５に関連して、前記壁面構築パネルユニットの下部側を位置決めする下部側位置決め手段３４を備えている。前記下部側位置決め手段３４は、取り付けボルト３５と、ナット付き補強プレート３６とを含むものからなっている。前記ナット付き補強プレート３６は、外周枠体２における下縁枠２Ｂの一側壁６ｂの内面に、例えば、溶接により固着されている。前記外周枠体２における下縁枠２Ｂの一側壁６ｂおよびナット付き補強プレート３６には前記取り付けボルト３５が螺合する貫通ネジ孔３７が設けてある。
【００４０】
前記ロッキング部材２５にける水平プレート部２５ａには、前記取り付けボルト３５のボルト径よりも大きな径の貫通孔３８が設けてあり、前記取り付けボルト３５を前記貫通孔３８に挿通し、前記取り付けボルト３５を貫通ネジ孔３７にネジ込む過程において位置決めをし、前記壁面構築パネルユニットＵを前記躯体２２に対して位置決めした後、前記ロッキング部材２５にける水平プレート部２５ａと外周枠体２における下縁枠２Ｂの一側壁６ｂの内面との間を溶接により固着する。
【００４１】
一方、この発明では、前記通しアングル部材２３と前記壁面構築パネルユニットＵにおける枠組立体の上部側との間に、前記壁面構築パネルユニットの高さを調整するための高さ調整手段２６が設けてある。前記高さ調整手段２６は、前記通しアングル部材２３における上方起立プレート部２３ｂに固定連結される上方起立プレート部２６ａと前記建造物躯体２２側から前記壁面構築パネルユニット側に向けて概して水平にのび前記壁面構築パネルユニットＵの枠組立体１における外周枠体２の上縁枠２Ａ下面に対して間隔をおいて平行にのびる水平プレート部２６ｂとを有するものからなっている。
【００４２】
前記高さ調整手段２６は、高さ調整用ボルト３９と、ナット付き補強プレート４０とを含むものからなっている。前記ナット付き補強プレート４０は、外周枠体２における上縁枠２Ａの一側壁６ｂの外面に、例えば、溶接により固着されている。前記外周枠体２における上縁枠２Ａの一側壁６ｂおよびナット付き補強プレート４０には、前記高さ調整用ボルト３９が螺合する貫通ネジ孔４１が設けてある。
【００４３】
前記高さ調整手段２６は、外周枠体２の内側から外側に向けて出没する左右一対の高さ調整用ボルト３９によって構成されており、前記高さ調整用ボルト３９のネジ先端３９ａが前記水平プレート部２６ｂに接していて、前記高さ調整用ボルト３９の回動操作によって前記壁面構築パネルユニットＵの高さ位置を調整することができるようになっている。
【００４４】
【発明の効果】
以上の構成になるこの発明の壁面構築パネルユニットのロッキング機構は、建造物の壁面の構築施工にあたって、当該壁面構築パネルユニットを建造物躯体に対して固定施工する際、当該壁面構築パネルユニットをその下部側および上部側の双方において、位置決めして取り付けるように構成したことにより、第１に、層間変位に対する追従性を有する壁面構築が可能である点、第２に、各壁面構築パネルユニットのレベル合わせ、各壁面構築パネルユニットの面合わせ等、その施工時における微妙な調節施工が可能である点、第３に、その施工の省力化、作業性の向上に貢献するものであって、工期の短縮化を図り得る点などにおいて極めて有効に作用するものといえる。
【００４５】
さらに、この発明になる壁面構築パネルユニットのロッキング機構は、ユニットの組み立て、加工のほとんど全てを、工場サイドにおける工場生産ラインにのせて一体的に加工処理し得る点において、多量生産に適合するとともに、品質精度の高い信頼性に優れた壁面構築材を供し得るものであって、それらの点において極めて有利に作用するものといえる。
【００４６】
さらにまた、この発明になる壁面構築パネルユニットのロッキング機構よれば、壁面構築パネルとして、例えば、軽量気泡コンクリートパネルを用いることにより、その軽量性、加工容易性並びに適度の強度性を確保するものであり、加えて、その突き合わせ端面に成形二重ガスケットを貼り合わせにより取り付け得るものであって、この成形二重ガスケットに単チューブガスケット加えて三重ガスケット構造に構成した点において、当該ユニットを縦方向並びに横方向に端面突き合わせ状に組み合わせた際、突き合わせラインに沿って縦方向並びに横方向にのびる通水路を形成するものであって、建造物内部側への雨水などの進入を確実に防止し得る点において有効に作用するものといえる。
【図面の簡単な説明】
【図１】図１は、この発明の適用例において、壁面構築パネルユニットＵによって建造物の壁面を構築する例を示すもので、図１Ａは、施工配列状態の例を示す裏面側から見た概略的な斜視図であり、図１Ｂは、壁面構築パネルユニットを建造物躯体にロッキングするロッキング機構の態様例を示す概略的な正面図である。
【図２】図２は、壁面構築パネルユニットの具体例を示すものであって、図２Ａは、金属製枠組立体の一方の面に建築用壁面パネルを取り付け、この建築用壁面パネルの外周囲端面に成形二重ガスケットを取り付けた構成例を示す概略な斜視図であり、図２Ｂは、図２Ａに示す成形二重ガスケットと別の単チューブガスケットとを組み合わせて三重ガスケット構造のもとに、壁面構築パネルユニットを互いの端縁に沿って突き合わせた状態を拡大して示す概略的な断面図である。
【図３】図３は、前記壁面構築パネルユニットを建造物躯体にロッキングするロッキング機構の態様例を示すものであって、図３Ａは、壁面構築パネルユニットの上下突き合わせの状態部分を建造物の内側からみた概略的な一部破断斜視図であり、図３Ｂは、当該ロッキング機構の主要部全体を一部破断して示す概略的な断面図である。
【図４】図４は、ロッキング機構の態様例を示すものであって、図４Ａは、下段の壁面構築パネルユニットの上側部分と上段の壁面構築パネルユニットの下側部分とを理解を助ける意味において若干引き離した状態で示す概略的な正面図であり、図４Ｂは、右半部が上段の壁面構築パネルユニットの下側部分を上から見た状態を示し、左半部が下段の壁面構築パネルユニットの上側部分を上から見た状態を示す概略的な一部破断縦断面図である。
【図５】図５は、ロッキング機構の詳細図であって、図５Ａは、壁面構築パネルユニットの下側部分をロッキングするロッキング部材の具体例を示す概略的な側断面図であり、図５Ｂは、壁面構築パネルユニットの上側部分を位置決め支受する自重受け部材の具体例を示す概略的な側断面図であり、図５Ｃは、壁面構築パネルユニットの上側部分に適用される高さ調整手段の具体例を示す概略的な側断面図である。
【符号の説明】
Ｕ  壁面構築パネルユニット
１  枠組立体
２  外周枠体
３  縦補強梁
４  横補強梁
５  剛域機構
６  リップ溝型鋼
７  チャンネル開口
１１  建築用壁面パネル体
２１  壁面構築パネルユニットのロッキング機構
２２  建造物躯体
２３  通しアングル部材
２４  自重受け部材
２５  ロッキング部材
２６  高さ調整手段
２７  上部側位置決め手段
２８  ロッキングボルト
２９  補強溶接プレート
３０  位置決めプレート
３１  ロックナット
３２  貫通孔
３３  貫通孔
３４  下部側位置決め手段
３５  取り付けボルト
３６  ナット付き補強プレート
３７  貫通ネジ孔
３９  高さ調整用ボルト
４０  ナット付き補強プレート
【図１】
0003755960.tif 000002
【図２】
0003755960.tif 000003
【図３】
0003755960.tif 000004
【図４】
0003755960.tif 000005
【図５】
0003755960.tif 000006